(57)【特許請求の範囲】
【請求項１】
山形部が所定間隔で連続する折板屋根と、固定用螺子軸が植設された溝板支持部の幅方向両側に取付脚部が形成されたベース部と，締付用螺子と，溝板連結部材とからなる支持具と、溝板とからなり、前記支持具の両取付脚部とにて前記折板屋根の山形部の頂部箇所を挟持するとともに前記締付用螺子にて締め付け固着され、前記折板屋根の山形部の長手方向と前記溝板の長手方向とがほぼ直交するようにして、複数の溝板は前記支持具の溝板支持部を介して山形部の頂部上に並設され、前記固定用螺子軸と溝板連結部材を介して固定され、前記溝板には植裁マット材が敷設されてなることを特徴とする緑化屋根。
【請求項２】
複数の折板屋根板からなり，且つ山形部が所定間隔で連続する折板屋根と、面板の幅方向両側に立上り側片が形成された溝板と、固定用螺子軸が植設された溝板支持部の幅方向両側に取付脚部が形成されたベース部と，締付用螺子と，溝板連結部材とからなる支持具と、植裁マット材と、該植裁マット材を溝板上に固定する押え部材とからなり、前記支持具は、前記両取付脚部と前記締付用螺子にて前記折板屋根の山形部の頂部箇所を挟持する状態とし、前記山形部の長手方向に所定間隔に装着され、前記折板屋根の山形部の長手方向と前記溝板の長手方向とがほぼ直交するようにして、複数の溝板が前記支持具の溝板支持部を介して山形部の頂部上に並設され、前記固定用螺子軸と溝板連結部材を介して固定され、前記溝板には植裁マット材が敷設されてなることを特徴とする緑化屋根。
【請求項３】
請求項２において、前記溝板の立上り側片には多数の排水孔が形成されてなることを特徴とする緑化屋根。
【請求項４】
請求項１，２又は３において、前記折板屋根は、山形部の長手方向に沿って勾配が設けられてなることを特徴とする緑化屋根。
【請求項５】
請求項１，２，３又は４において、前記溝板上に敷設された植裁マット材には、保護網が被覆され、固定部の幅方向両側よりマット押え部が形成され、前記固定部には、貫通孔が形成された押え部材の前記貫通孔が前記支持具の固定用螺子軸に締付け固定されることにより前記保護網が前記溝板に固定されてなることを特徴とする緑化屋根。
【請求項６】
請求項１，２，３，４又は５において、前記溝板上に敷設された植裁マット材には、散水管が設けられてなることを特徴とする緑化屋根。
【発明の詳細な説明】
【０００１】
【発明の属する技術分野】
本発明は、折板屋根を緑化するものであり、前記折板屋根が新設，既設を問わず、極めて簡単且つ迅速に施工することができ、且つ極めて強固なる構造にすることができる緑化屋根に関する。
【０００２】
【従来の技術】
近年、屋根上面を利用して植物，作物等の栽培が行われる緑化屋根の施工が増えている。特に、屋根上は、日当たり，風通し等の栽培に好適な条件が揃っており、このようなことから栽培に適している。また、緑化屋根は単に屋根を鮮やかにするだけでなく、植物の炭酸同化作用等により環境にも極めて良い影響を与えるもので、近年その緑化屋根が多いに奨励されている。
【０００３】
このような緑化屋根は、その施工には技術が必要であり、屋根が施工され、この金属屋根板上に種子入りのマット材を敷設するようにしたものが多く見受けられる。この種のものでは、植裁マット材のマット部が適度の吸水性，及び良好なる透水性，通気性を有したものが好ましい。
【０００４】
【発明が解決しようとする課題】
ところが、上述した緑化屋根のほとんどは、新設のものであり、従来の屋根を緑化して施工されるものではない。これは、緑化屋根の構造が複雑であり、また植物に適度の水分が必要であるため、その適度の水分を溜めることができる構造にしなくてはならない。
【０００５】
このように既設屋根を利用して緑化屋根に葺き代えることは、高度の施工技術を必要とし、簡単に施工することができるものではなかった。また、既設屋根を緑化して緑化屋根とすることは、新設の緑化屋根を施工する場合よりも施工が困難，且つ面倒であることが多い。本発明の目的は、既設又は新設を問わず多くの折板屋根に対して、これらを極めて簡易且つ迅速に緑化屋根に施工することができ、且つその構造も極めて強固にすることにある。
【０００６】
【課題を解決するための手段】
そこで、発明者は、上記課題を解決すべく、鋭意，研究を重ねた結果、本発明を、山形部が所定間隔で連続する折板屋根と、固定用螺子軸が植設された溝板支持部の幅方向両側に取付脚部が形成されたベース部と，締付用螺子と，溝板連結部材とからなる支持具と、溝板とからなり、前記支持具の両取付脚部とにて前記折板屋根の山形部の頂部箇所を挟持するとともに前記締付用螺子にて締め付け固着され、前記折板屋根の山形部の長手方向と前記溝板の長手方向とがほぼ直交するようにして、複数の溝板は前記支持具の溝板支持部を介して山形部の頂部上に並設され、前記固定用螺子軸と溝板連結部材を介して固定され、前記溝板には植裁マット材が敷設されてなる緑化屋根としたことにより、前記折板屋根が新設，既設を問わず、極めて簡単且つ迅速に施工することができ、且つ極めて強固なる構造にすることができ、上記課題を解決したものである。
【０００７】
【発明の実施の形態】
以下、本発明の実施形態を図面に基づいて説明する。本発明は、図１乃至図４に示すように、主に折板屋根Ａ，溝板３，支持具Ｂ，植裁マット材１２等から構成される。まず、折板屋根Ａは、既設或いは新設のいずれの場合も含まれる。その折板屋根Ａには、種々の種類が存在するが、いずれの場合であっても断面がほぼ台形山形状の山形部１と、平坦状の底部２とが存在する。
【０００８】
その折板屋根Ａは、図１，図２に示すように、複数の折板屋根板Ａ１  ，Ａ１  ，…から構成されるものである。すなわち複数折板屋根板Ａ１  ，Ａ１  ，…が並設され、それぞれ隣接する折板屋根板Ａ１  ，Ａ１  同士が連結され折板屋根Ａが施工される。その折板屋根板Ａ１  には、前記山形部１及び底部２が形成されているが、その山形部１は、断面ほぼ半山形状に形成された連結山形部１ａとしたものである。そして、母屋等の構造材１５上に設置された受金具１６を介して幅方向に隣接する折板屋根板Ａ１  ，Ａ１  同士は、対向する連結山形部１ａ，１ａ同士が連結されて、ほぼ台形状の山形部１が形成されつつ、折板屋根Ａが施工される。
【０００９】
本発明では、折板屋根Ａの種類に応じて、施工される緑化屋根構造に複数の実施形態が存在する。その第１実施形態は、図２，図３に示すように、折板屋根Ａが馳締タイプとしたものに適用されるものである。各折板屋根板Ａ１  の幅方向の一端側の連結山形部１ａの頂部には、下馳部１ｂ１  が形成され、他方の連結山形部１ａの頂部には上馳部１ｂ２  が形成されている。そして、幅方向に隣接する折板屋根板Ａ１  ，Ａ１  同士の下馳部１ｂ１  と上馳部１ｂ２  とが馳折り状態で連結されるものである。図示された下馳部１ｂ１  及び上馳部１ｂ２  は、丸馳形状であるが、角馳形状のものも存在する。その隣接する折板屋根板Ａ１  ，Ａ１  同士の下馳部１ｂ１  と上馳部１ｂ２  によって、馳締連結部１ｂが形成される。
【００１０】
次に、溝板３は、図６に示すように、面板３ａの幅方向両側に立上り側片３ｂ，３ｂが形成されたものであり、該立上り側片３ｂ，３ｂは、前記面板３ａに対してほぼ直角状に形成されている。また、前記立上り側片３ｂは、その頂部箇所に外方へ折返し部３ｂ１  が形成されている。該溝板３は、その長手方向すなわち幅方向に直交する方向が長尺に形成されている。
【００１１】
溝板３は、具体的には、幅方向の寸法がほぼ４００ｍｍ程度で長さがほぼ４乃至５ｍ程度である。実際には、その幅方向の寸法が４１５ｍｍに形成されている。しかし、溝板３は、これらの寸法に限定されるものではなく、使用される状況に応じて寸法は適宜設定されるものである。また、溝板３の面板３ａ及び立上り側片３ｂ，３ｂには、樹脂コーティングが施されることもある。また、この溝板３は、前記折板屋根Ａに対して、後述する支持具Ｂにより固定される。また、前記立上り側片３ｂ，３ｂには、図１２（Ａ）に示すように、その長手方向に沿って多数の排水孔３ｂ２  ，３ｂ２  ，…が形成されることもある。該排水孔３ｂ２  ，３ｂ２  ，…は、図１２（Ｂ）に示すように、溝板３内に溜まった水を排出するものであり、溝板３内で溜まった水が腐り、これによって、根腐れ等が生じることを防止するものである。
【００１２】
次に、支持具Ｂについては、図４乃至図６等に示すように、主にベース部Ｂ１  と、溝板連結部材１０とから構成される。前記ベース部Ｂ１  は、溝板支持部５と取付脚部６，６とから構成されている。前記溝板支持部５は、平坦状に形成され、前記溝板３の面板３ａ幅方向端部が安定した状態で載置可能となっている。前記取付脚部６，６は、ほぼ平行に形成され、いずれか一方の取付脚部６の下端から内方上向きの傾斜状に係止屈曲片６ａが形成されている。
【００１３】
また、他方側の取付脚部６には、螺子孔６ｂが形成され、該螺子孔６ｂに螺合するビス，ボルト等の締付用螺子８が装着されている。前記溝板支持部５には固定用螺子軸９が植設、すなわち前記溝板支持部５上にほぼ垂直状に固着される。前記固定用螺子軸９は、前記溝板支持部５に対して、溶接，圧入，カシメ等の種々の固着手段により固着されるものである。また、図１０，図１１に示すように、固定用螺子軸９は、ベース部Ｂ１  と別部材とする実施形態も存在する。具体的には、ベース部Ｂ１  の溝板支持部５上にナットｎ４  が固着されており、ベース部Ｂ１  と別部材とした固定用螺子軸９が螺合するようになっている。
【００１４】
そのベース部Ｂ１  は、図２（Ｂ）に示すように、両取付脚部６，６が前記折板屋根Ａの馳締連結部１ｂを挟持するようにして、山形部１の頂部に載置される。そして、前記係止屈曲片６ａの先端が馳締連結部１ｂの幅方向一端側の下部箇所に当接され、馳締連結部１ｂの幅方向他方側から前記取付脚部６に装着された締付用螺子８が締め付けられることにより、馳締連結部１ｂの下部付根付近が挟持状態に固着されるものである。また、前記取付脚部６，６の下端は、山形部１の頂部平坦面に当接する状態となっている。
【００１５】
前記溝板連結部材１０は、図５，図６に示すように、断面ほぼハット形状に形成されたもので、図４に示すように、隣接する前記溝板３，３同士を前記支持具Ｂの溝板支持部５上で連結する役目をなす部材である。具体的には、門形状とした連結部１０ａと面板押え部１０ｂ，１０ｂとからなり、前記連結部１０ａは、上面１０ａ１  の幅方向両側から側片１０ａ２  ，１０ａ２  が形成されている。
【００１６】
両側片１０ａ２  ，１０ａ２  の下端から外方に向けて平坦状の面板押え部１０ｂ，１０ｂが形成されている。該面板押え部１０ｂ，１０ｂは、後述するように、前記溝板３の面板３ａの幅方向端部箇所を前記支持具Ｂの溝板支持部５に押さえ付ける役目をなすものである。この溝板連結部材１０は、長手方向に長尺物であり、前記溝板３の長手方向にほぼ等しく形成される。前記上面１０ａ１  には、その長手方向に沿って複数の貫通孔１０ａ３  ，１０ａ３  ，…が形成されている。該貫通孔１０ａ３  は、前記支持具Ｂの固定用螺子軸９が貫通する部位である。そして、前記溝板連結部材１０は、図４に示すように、その貫通孔１０ａ３  に前記支持具Ｂの固定用螺子軸９が貫通し、固定用のナットｎ１  にて締め付けられ、図４に示すように、前記支持具Ｂの溝板支持部５上に固定される。
【００１７】
次に、押え部材１１については、図５，図６に示すように、固定部１１ａの幅方向両側より、マット押え部１１ｂ，１１ｂが形成されたものである。前記固定部１１ａには、貫通孔１１ａ１  が形成され、該貫通孔１１ａ１  に前記支持具Ｂの固定用螺子軸９が貫通され、ナットｎ２  が前記固定用螺子軸９に締付けられることにより、前記押え部材１１が溝板連結部材１０に固定されるものである（図４参照）。そして、両マット押え部１１ｂ，１１ｂは、前記溝板３に載置された植裁マット材１２の端部箇所を押え付けて固定するものである。
【００１８】
前記マット押え部１１ｂ，１１ｂの形状は、具体的には、断面ほぼ逆Ｕ字形状に形成されたものであり、面板押え部１０ｂの前記固定部１１ａとの付け根側では垂直状に立上るように形成され、その上端箇所でほぼ円弧状に屈曲して垂直状に押え端縁１１ｂ１  が形成される。該押え端縁１１ｂ１  は、ほぼ垂直方向に植裁マット材１２を押さえ付けるものである。そして、後述する保護網１３も引掛けるようにして係止することもできる。
【００１９】
また、他方側のマット押え部１１ｂでは、略ヘ字形状となるように、屈曲形成されたもので、前記固定部１１ａとの付け根側から少し垂直状に立上り、その立上り片の上端よりへ字形状の屈曲端縁１１ｂ２  が形成されている。該屈曲端縁１１ｂ２  では、保護網１３とともに、後述する散水管１４を植裁マット材１２上に固定することができる。また、前記マット押え部１１ｂ，１１ｂは、左右対称で、単に平坦状に形成されたタイプも存在する〔図１０及び図１１参照〕。
【００２０】
次に、栽培層を構成する植裁マット材１２は、繊維質の材質から構成され、平面的に見て略正方形或いは長方形の偏平布団状に形成されたものであり、植物が成長して行くものである。また、植裁マット材１２は、繊維質以外のもので木質のものや石質のものであっても構わない。また、溝板３に配列された植裁マット材１２，１２，…には、保護網１３が被覆状に被せられることもある。該保護網１３は、繊維質から形成されたものや、ナイロン等の合成樹脂や、或いは金属製のものであってもよい。また、散水管１４は、図６に示すように、その長手方向に沿って多数の散水孔１４ａ，１４ａ，…が形成され、植裁マット材１２に適当な量の水を与えるものである。
【００２１】
次に、前記折板屋根Ａの第２実施形態については、図１３（Ａ），（Ｂ）に示すように、嵌合タイプの折板屋根板Ａ１  が使用されるものであって、該折板屋根板Ａ１  とキャップ材１ｄとから構成されるものである。前記折板屋根板Ａ１  ，Ａ１  ，…の連結山形部１ａの頂部には被嵌合屈曲部１ｃが形成されている。そして、隣接する折板屋根板Ａ１  ，Ａ１  の適宜の間隔をおいて対向する両被嵌合屈曲部１ｃ，１ｃにキャップ材１ｄが嵌合状態で被せられるものである。
【００２２】
そのキャップ材１ｄは、冠状部１ｄ１  と嵌合屈曲片１ｄ２  ，１ｄ２  から構成されており、該嵌合屈曲片１ｄ２  ，１ｄ２  が形成され、該嵌合屈曲片１ｄ２  ，１ｄ２  は前記被嵌合屈曲部１ｃ，１ｃに嵌合するようになっている。また、両折板屋根板Ａ１  ，Ａ１  ，…の対向する被嵌合屈曲部１ｃ，１ｃ間には、吊子１７が受金具１６とともに設置されている。この実施形態の折板屋根Ａに対して支持具Ｂは、図１４に示すように、その取付脚部６，６にて前記キャップ材１ｄの両嵌合屈曲片１ｄ２  ，１ｄ２  の凹み箇所を挟持するものである。その取付脚部６，６の下端には嵌合突片６ｃ，６ｃが形成され、図１３（Ｂ），図１４に示すように、該嵌合突片６ｃ，６ｃがキャップ材１ｄの嵌合屈曲片１ｄ２  ，１ｄ２  に嵌合状態で固定するものである。その他の構成は、第１実施形態と同様である。
【００２３】
次に、前記折板屋根Ａの第３実施形態としては、図１５に示すように、隣接する前記折板屋根板Ａ１  ，Ａ１  同士の連結山形部１ａ，１ａが重合されて連結されるものである。この実施形態では、連結山形部１ａの頂部箇所は、ほぼ台形状に屈曲形成され、隣接する折板屋根板Ａ１  ，Ａ１  の対向する連結山形部１ａ，１ａが重合され、受金具１６の頂部から突出した剣先ボルト１８により重合状態の連結山形部１ａ，１ａが前記剣先ボルトに貫通される。支持具Ｂは、断面ほぼ方形状の筺体に形成され、前記剣先ボルト１８が、前記支持具Ｂの底部取付部７に貫通されナットｎ３  により締め付けられて固着されている。その他の構成は、第１実施形態と同様である。
【００２４】
次に、本発明の施工について述べる。図７は、施工工程を示す斜視図であり、図８，図９は、施工工程を示す略示図である。まず、図７（Ａ），に示すように、折板屋根Ａを構成する複数の折板屋根板Ａ１  ，Ａ１  ，…の山形部１の頂部に支持具Ｂが装着される。具体的には、前記山形部１の頂部にベース部Ｂ１  が固着される。前記山形部１の頂部が馳締連結部１ｂが形成されたものでは、該馳締連結部１ｂにベース部Ｂ１  が固定される。このようにして、前記山形部１の長手方向に沿って所定間隔に複数の支持具Ｂ，Ｂ，…が装着されてゆく。
【００２５】
次に、図８（Ａ）に示すように、隣接するベース部Ｂ１  ，Ｂ１  間に溝板３が載置される。次に、図７（Ｂ），図８（Ｂ）に示すように、その隣接する溝板３，３の対向する立上り側片３ｂ，３ｂを跨ぐようにして溝板連結部材１０が配置され、前記ベース部Ｂ１  に植設された固定用螺子軸９とナットｎ１  にて固着されてゆく。次に、前記各溝板３，３，…には、図９（Ａ）に示すように、植裁マット材１２，１２，…が敷設されてゆく。次に、図９（Ｂ）に示すように、前記押え部材１１が前記溝板３に敷設された植裁マット材１２，１２，…を押さえるようにして、前記支持具Ｂの固定用螺子軸９にナットｎ２  で固着される。その押え部材１１のマット押え部１１ｂ，１１ｂにより植裁マット材１２の端部が押さえ付けられるものである。
【００２６】
さらに、溝板３に敷設された植裁マット材１２，１２，…は、保護網１３により被覆される〔図３（Ａ），（Ｂ）参照〕。この保護網１３は、前記押え部材１１のマット押え部１１ｂ，１１ｂにより係止される。また、植裁マット材１２，１２，…には、散水管１４が配置され、該散水管１４から植裁マット材１２，１２，…に水分又は栄養分を供給することができる。なお、前記折板屋根Ａの山形部１の頂部に装着される支持具Ｂは、折板屋根Ａが嵌合タイプの場合には、ベース部Ｂ１  はキャップ材１ｄを挟持状態で固定される。また、折板屋根Ａが重合タイプの場合には、受金具から突出する剣先ボルトが利用されてベース部Ｂ１  が固着される。
【００２７】
【発明の効果】
請求項１の発明は、山形部１が所定間隔で連続する折板屋根Ａと、固定用螺子軸９が植設された溝板支持部５の幅方向両側に取付脚部６，６が形成されたベース部Ｂ1 と，締付用螺子８と，溝板連結部材１０とからなる支持具Ｂと、溝板３とからなり、前記支持具Ｂの両取付脚部６，６とにて前記折板屋根Ａの山形部１の頂部箇所を挟持するとともに前記締付用螺子８にて締め付け固着され、前記折板屋根Ａの山形部１の長手方向と前記溝板３の長手方向とがほぼ直交するようにして、複数の溝板３，３，…は前記支持具Ｂの溝板支持部５を介して山形部１の頂部上に並設され、前記固定用螺子軸９と溝板連結部材１０を介して固定され、前記溝板３には植裁マット材１２が敷設されてなる緑化屋根としたことにより、前記折板屋根が新設，既設を問わず、緑化することができ、且つ極めて強固な構造にすることができる等の効果を奏する。
【００２８】
上記効果を詳述すると、折板屋根Ａの山形部１の長手方向と溝板３の長手方向とがほぼ直交するようにして緑化屋根が構成されるのである。それゆえに、その折板屋根Ａが既設又は新設のいずれであっても簡易に緑化屋根を施工することができ、特に既設屋根を緑化することは、従来では面倒であったが、比較的少ない構成部材と、簡単な施工にて緑化することができる。また本発明の緑化屋根は、前述したように、折板屋根Ａの山形部１の長手方向と溝板３の長手方向とがほぼ直交するように構成しているので構造的に強固なる２層タイプの屋根とすることができるものである。
【００２９】
次に、請求項２の発明は、複数の折板屋根板Ａ1 ，Ａ1 ，…からなり，且つ山形部１が所定間隔で連続する折板屋根Ａと、面板３ａの幅方向両側に立上り側片３ｂ，３ｂが形成された溝板３と、固定用螺子軸９が植設された溝板支持部５の幅方向両側に取付脚部６，６が形成されたベース部Ｂ1 と，締付用螺子８と，溝板連結部材１０とからなる支持具Ｂと、植裁マット材１２と、該植裁マット材１２を溝板３上に固定する押え部材１１とからなり、前記支持具Ｂは、前記両取付脚部６，６と前記締付用螺子８にて前記折板屋根Ａの山形部１の頂部箇所を挟持する状態とし、前記山形部１の長手方向に所定間隔に装着され、前記折板屋根Ａの山形部１の長手方向と前記溝板３の長手方向とがほぼ直交するようにして、複数の溝板３，３，…が前記支持具Ｂの溝板支持部５を介して山形部１の頂部上に並設され、前記固定用螺子軸９と溝板連結部材１０を介して固定され、前記溝板３には植裁マット材１２が敷設されてなる緑化屋根としたことにより、既設又は新設を問わず多くの折板屋根に対して、簡易且つ迅速に緑化屋根に施工することができるし、施工が簡単であり、構造も極めて強固にすることにある。
【００３０】
上記効果を詳述すると、本発明の緑化屋根は、折板屋根Ａの山形部１の長手方向と前記溝板３の長手方向とがほぼ直交状にして施工されたものであり、これによって、折板屋根Ａの山形部１による断面形状と溝板３の断面形状とが相互に構造的な補強を行い、ひいては極めて強固なる構造の緑化屋根とすることができる。また、折板屋根Ａは、既設又は新設を問わず多くの折板屋根に対して、その山形部１の頂部に設置する支持具Ｂを使用して溝板３を設けるもので、折板屋根Ａが馳締め，嵌合或いは重合タイプのいずれであっても簡易且つ迅速に緑化屋根に施工することができる。
【００３１】
また、折板屋根Ａの上方に溝板３が配置されることから、溝板３から溢れ出た雨水，栽培用水等の水は、折板屋根Ａから外部に排除されるものであり、水はけが良好となる。さらに折板屋根Ａの溝板３とがほぼ２層タイプの屋根を構成することになり、構造的に強固となるのみならず、２層タイプの屋根の特性である保温性をも兼ね備えることになる。
【００３２】
請求項３の発明は請求項２において、前記溝板３の立上り側片３ｂ，３ｂには多数の排水孔３ｂ２  ，３ｂ２  ，…が形成されてなる緑化屋根としたことにより、溝板３の水の排水効率が良好であり、植裁マット材１２における根腐れを防止することができる。
【００３３】
請求項４の発明は、請求項１，２又は３において、前記折板屋根Ａは、山形部１の長手方向に沿って勾配が設けられてなる緑化屋根としたことにより、溝板３には幅方向に勾配が設けられることになり、前記溝板３内には適当な水分を確保することができ、植裁マット材１２に適正量の水分を与えることができるものである。
【００３４】
請求項５の発明は、請求項１，２，３又は４において、前記溝板３上に敷設された植裁マット材１２には、保護網１３が被覆され、固定部１１ａの幅方向両側よりマット押え部１１ｂ，１１ｂが形成され、前記固定部１１ａには、貫通孔１１ａ1 が形成された押え部材１１の前記貫通孔１１ａ1 が前記支持具Ｂの固定用螺子軸９に締付け固定されることにより前記保護網１３が前記溝板３に固定されてなる緑化屋根としたことにより、植裁マット材１２が保護網１３により保護され、強風や地震等により、溝板３からの位置ずれや、脱落等の損害を防止することができるものである。
【００３５】
請求項６の発明は、請求項１，２，３，４又は５において、前記溝板３上に敷設された植裁マット材１２には、散水管１４が設けられてなる緑化屋根としたことにより、前記散水管１４を介して植裁マット材１２に強制的に水分又は栄養分を与えることができるものであり、植物の育成を促進させることができるものである。
【図面の簡単な説明】
【図１】第１実施形態における一部切除した斜視図
【図２】（Ａ）は第１実施形態の略示正面図
（Ｂ）は（Ａ）の要部の拡大縦断正面図
【図３】（Ａ）は第１実施形態の要部拡大縦断側面図
（Ｂ）は（Ａ）の要部拡大斜視図
【図４】溝板同士の連結箇所における拡大縦断側面図
【図５】第１実施形態における連結構成部材の分解断面図
【図６】第１実施形態における連結構成部材の分解斜視図
【図７】（Ａ）は折板屋根の山形部頂部に支持具が装着される工程を示す斜視図
（Ｂ）は山形部頂部の支持具箇所に溝板が載置される工程を示す斜視図
【図８】（Ａ）は山形部頂部の支持具箇所に溝板が載置される工程を示す略示図
（Ｂ）は隣接する溝板同士が支持具にて固定される工程を示す略示図
【図９】（Ａ）は溝板上に植裁マット材が載置される工程を示す略示図
（Ｂ）は植裁マット材上に保護網及び散水管が配置されこれらが押え部材にて固定される工程を示す略示図
【図１０】第１実施形態における別のタイプの支持具が使用されたの要部の拡大縦断側面図
【図１１】別のタイプの支持具の構成を示す分解断面図
【図１２】（Ａ）は第１実施形態において排水孔が形成された溝板を使用した要部の拡大縦断正面図
（Ｂ）は排水孔から排水される状態を示す作用図
【図１３】（Ａ）は第２実施形態の略示正面図
（Ｂ）は（Ａ）の要部の拡大縦断正面図
【図１４】第２実施形態における支持具の斜視図
【図１５】第３実施形態における要部の拡大縦断正面図
【符号の説明】
Ａ…折板屋根
３…溝板
Ｂ…支持具
１…山形部
４…立上り部
１０…溝板連結部材
１１…マット押え部材
１２…植裁マット材
１３…保護網
１４…散水管
【図１】
0003590020.tif 000002
【図２】
0003590020.tif 000003
【図３】
0003590020.tif 000004
【図４】
0003590020.tif 000005
【図５】
0003590020.tif 000006
【図６】
0003590020.tif 000007
【図７】
0003590020.tif 000008
【図８】
0003590020.tif 000009
【図９】
0003590020.tif 000010
【図１０】
0003590020.tif 000011
【図１１】
0003590020.tif 000012
【図１２】
0003590020.tif 000013
【図１３】
0003590020.tif 000014
【図１４】
0003590020.tif 000015
【図１５】
0003590020.tif 000016